(57)【要約】      （修正有）【課題】回転収納形金属板止め用ワンタッチフックにおいて、作業性が高く、かつコストが安いワンタッチフックを提供する。【解決手段】回転収納形金属板を所望の状態に掛け止めするためのワンタッチフックであって、平板状でＬ字型に加工されたフック用ベースにおける一方の片側面３ａにおいて他方の他側面３ｂの在る方に沿って立設された軸４に回転自在に支持される平板体であり、前記軸４と前記他側面３ｂとの距離の関係で、そのフックの側端面の一部１ａが所定方向の回転ができないように前記他側面の表面に当接するとともに、前記フックの側端面の他の一部１ｂが前記所定方向の回転と逆方向に回転できないように前記他側面３ｂの表面に当接し、前記フックの係止部は、水平状態から持ち上げられた場合に自重で自然に戻るように形成し回転収納形金属板止め用ワンタッチフック１を構成する。【選択図】図１
0003150153.tif 000002
【実用新案登録請求の範囲】
【請求項１】
回転収納形金属板を所望の状態に掛け止めするためのワンタッチフックであって、
平板状でＬ字型に加工されたフック用ベースにおける一方の片側面において他方の他側面の在る方に沿って立設された軸に回転自在に支持される平板体であり、
前記軸と前記他側面との距離の関係で、そのフックの側端面の一部が所定方向の回転ができないように前記他側面の表面に当接するとともに、前記フックの側端面の他の一部が前記所定方向の回転と逆方向に回転できないように前記他側面の表面に当接し、
前記フックの係止部は、水平状態から持ち上げられた場合に自重で自然に戻るように形成されていること、
を特徴とする回転収納形金属板止め用ワンタッチフック。
【請求項２】
フックの係止部において、側端面の一部が前記係止部に進入する係止部材によって水平状態から上側に持ち上げられるように、テーパ部となっていること、
を特徴とする請求項１に記載の回転収納形金属板止め用ワンタッチフック。
【考案の詳細な説明】
【技術分野】
【０００１】
本考案は、例えば、主にプレス金型におけるスクラップを外に排出するシュート、若しくはその他のガイド用金属板，搬送用金属板，昇降用金属板，連結用金属板などにおける回転収納形金属板を、その使用状態若しくは非使用状態の時に所定の状態に掛け止めておく、回転収納形金属板止め用のワンタッチフックに関するものである。
【背景技術】
【０００２】
従来、回転収納形金属板止め用として、例えばプレス金型に設けられているスクラップ排出用のシュート２０は、図５に示すように、金属製で平板体であってその横方向の縁部に切り起こしがあり、その縦方向の一端側の基部で回転支持軸２１による回転自在にされている。シュート２０の他端側には、チェーン２２の一端部が止め金２２ａを介して溶接して固着されている。前記チェーン２２の他端部には、止め棒２３が設けられている。この止め棒２３は、シュート２０の非使用時には、下ダイ２４の一部に固着された円筒状の鞘２３ａに挿通されるものである。前記シュート２０の基部には、Ｌ字型の位置決めプレート２５が一体にして設けられている。
【特許文献１】特開２００２−１９２２７０号公報
【考案の開示】
【考案が解決しようとする課題】
【０００３】
しかし、従来の回転収納形金属板止め装置は、チェーン２２，止め金２２ａ，止め棒２３，鞘２３ａとから成るもので、掛け止め操作が面倒であり、部品点数も多くなる。作業性とコストが嵩む点において解決すべき課題を有している。本考案に係る回転収納形金属板止め用ワンタッチフックは、このような課題を解決するために提案されたものである。
【課題を解決するための手段】
【０００４】
本考案に係る回転収納形金属板止め用ワンタッチフックの上記課題を解決して目的を達成するための要旨は、回転収納形金属板を所望の状態に掛け止めするためのワンタッチフックであって、平板状でＬ字型に加工されたフック用ベースにおける一方の片側面において他方の他側面の在る方に沿って立設された軸に回転自在に支持される平板体であり、前記軸と前記他側面との距離の関係で、そのフックの側端面の一部が所定方向の回転ができないように前記他側面の表面に当接するとともに、前記フックの側端面の他の一部が前記所定方向の回転と逆方向に回転できないように前記他側面の表面に当接し、前記フックの係止部は、水平状態から持ち上げられた場合に自重で自然に戻るように形成されていることである。
【０００５】
前記フックの係止部において、側端面の一部が前記係止部に進入する係止部材によって水平状態から上側に持ち上げられるように、テーパ部となっていることを含むものである。
【考案の効果】
【０００６】
本考案の回転収納形金属板止め用ワンタッチフック（以下、単に、フックと称することがある）によれば、例えば、回転収納形金属板を非使用状態にすべく、所要方向に回転移動させたときに、この回転収納形金属板の一部がワンタッチフックに当接して、自然に押し上げて係止部に進入する。そして、フックは、その自重で自然に元の位置に戻って、係止状態が維持される。このように、単に回転収納形金属板を買い手にどうさせるだけで自然に係止することができて、作業性が改善され、係止部材の部品点数も少なくなってコストの低減となる。
【考案を実施するための最良の形態】
【０００７】
本考案に係る回転収納形金属板止め用ワンタッチフック１を、従来例に対応する部分には従来例と同じ符号を付けて説明する。図１（Ａ）〜（Ｃ）乃至図２に示すように、ワンタッチフック１は、回転収納形金属板の一例として金型のプレス加工後のスクラップを排出するシュート２０を、所望の状態に掛け止めするためのワンタッチフックであって、平板状でＬ字型に加工されたフック用ベース３における一方の片側面３ａにおいて他方の他側面３ｂの在る方に沿って立設された軸４に回転自在に支持される平板体である。
【０００８】
前記平板体のワンタッチフック１は、前記軸４と前記他側面３ｂとの距離の関係で、そのフック１の側端面の一部１ａが所定方向の回転ができないように前記他側面３ｂの表面に当接するとともに、前記フック１の側端面の他の一部１ｂが前記所定方向の回転と逆方向に回転できないように前記他側面３ｂの表面に当接するようになっている。
【０００９】
前記フック１の係止部１ｃは、水平状態から持ち上げられた場合に自重で自然に戻るように形成されている。また、この係止部１ｃは、図３に示す係止部材である係止棒５の係止棒部５ａの直径に合わせて形成されている。フック１の符号１ｄは、取付用の貫通孔を示している。
【００１０】
前記フック１の係止部１ｃにおいて、図１（Ａ）に示すように、側端面の一部１ｅが、前記係止部１ｃに進入する係止部材の係止棒５によって水平状態から上側に持ち上げられるように、テーパ部となっている。
【００１１】
前記ベース３は、Ｌ字型の金属製プレートであり、片側面３ａにボルト４を挿通させるための貫通孔３ｃが設けられ、他側面３ｂには、金型の下ダイ２４に固定するための取付用貫通孔３ｄ，３ｄが設けられている。
【００１２】
前記軸４は、例えば、六角ボルトのネジ棒部４ａであり、これに螺合させるナット２でフック１の位置決めとしている。この軸４に対して前記フック１が自由に回転できるものである。
【００１３】
前記係止棒５は、図３に示すように、金属製の丸棒をＬ字型に曲げ加工したものである。これの長手部５ｂを、シュート２０の側面に沿って当てがい溶接して固定するものである。この係止棒５の短い方の係止棒部５ａが、シュート２０の横方向に突出するように固定されて、前記シュート２０の非使用時の状態へ待避させられたときに、前記フック１に衝突して係止されるものである。
【００１４】
このように、前記ワンタッチフック１、ベース３、軸（ボルト４とナット２を含む）からなるフック装置６を、金型の下ダイ２４にボルトで前記ベース３が固定されて、取り付けられる。
このシュート２０を、金型スクラップを排出するときには、図５（Ｂ）の状態にして、下方向に下げた状態で使用するが、非使用時には、前記シュート２０の一端側を回転させてその一端側を持ち上げる。すると、前記シュート２０のに固定されている係止棒部２ａが前記フック装置６のフック１に衝突する。
【００１５】
そして、図１（Ａ）及び図４に示すように、フック装置６の係止棒部５ａが、フック１のテーパ部１ｅを上に押し上げて（図では、軸４を中心にして反時計方向に回転）、係止部１ｃに進入する。それにより、フック１は自重で逆回転（図では軸４を中心にして時計方向に回転）して、元の位置に戻る。こうして、係止棒部５ａがロックされて、シュート２０が非使用状態に維持される。このように、シュート２０を単に押し上げて回転させるだけでロックできるので、操作性が向上するものである。
【産業上の利用可能性】
【００１６】
本考案のワンタッチフックは、金型プレス加工のみならず、一般の金属加工業や金属製品製造業における回転収納形金属板の収納に適用できるものである。
【図面の簡単な説明】
【００１７】
【図１】本考案に係る回転収納形金属板止め用ワンタッチフック１を有するフック装置６の正面図（Ａ）、側面図（Ｂ）平面図（Ｃ）である。
【図２】同本考案の回転収納形金属板止め用ワンタッチフック１の正面図である。
【図３】同ワンタッチフック１に係止される係止棒５の正面図（Ａ）、側面図（Ｂ）である。
【図４】同フック雄地６の使用状態を説明する説明図である。
【図５】従来例に係るフック装置の使用状態を示す説明図（Ａ），（Ｂ）である。
【符号の説明】
【００１８】
１          ワンタッチフック、                １ａ        側端面の一部、
１ｂ        側端面の他の一部、                １ｃ        係止部、
１ｄ        貫通孔、                          １ｅ        テーパ部、  
２          ナット、
３          フック用ベース、                  ３ａ        片側面、
３ｂ        他側面                            ３ｃ        貫通孔、
３ｄ        取付用貫通孔、
４          軸（ボルト）、                    ４ａ        ネジ棒部、
５          係止棒、                          ５ａ        係止棒部、  
５ｂ        長手部、
６          フック装置
２０        シュート（回転収納形金属板）、
２１        回転支持軸、
２２        チェーン、
２３        止め棒、                          ２３ａ      鞘、
２４        下ダイ、      
２５        位置決めプレート。
【図１】
0003150153.tif 000003
【図２】
0003150153.tif 000004
【図３】
0003150153.tif 000005
【図４】
0003150153.tif 000006
【図５】
0003150153.tif 000007